(57)【要約】【課題】  使用者が店頭で多くの種類の座席ハンモックの取り付け状態を自分の目で確かめることができるようにする座席ハンモックセットを提供する。【解決手段】  座席ハンモックセット３０は、乳母車の車体に取り付けられて座席を形成するための座席ハンモック３と、包装袋２０と、ハンガー１０とを備える。包装袋２０は、平坦な状態にした座席ハンモック３を収納するものであり、その表側フィルム２１が透明である。ハンガー１０は、座席ハンモック３の展開状態を安定して保持するためのものであり、包装袋２０内に配置される吊下げ部分１１と、包装袋３の頂部から突出するフック部分１２とを含む。【選択図】      図１０
2005254836.tif 000002
【特許請求の範囲】
【請求項１】
乳母車の車体に取付けられて座席を形成するための座席ハンモックと、
平坦な状態にした前記座席ハンモックを収納するものであり、少なくともその前面側の大部分が透明フィルムで形成されている包装袋とを備えた、座席ハンモックセット。
【請求項２】
前記包装袋内の座席ハンモックを吊下げるための吊下げ部分と、前記包装袋の頂部から突出するフック部分とを含むハンガーをさらに備える、請求項１に記載の座席ハンモックセット。
【請求項３】
前記包装袋は、その裏面に、外面側の大部分が透明フィルムで形成された裏面袋を含み、
前記裏面袋内に、平坦な状態で収納された幌をさらに備える、請求項１または２に記載の座席ハンモックセット。
【請求項４】
前記包装袋は、前記前面側透明フィルムの内面に、大部分が透明フィルムで形成された小袋を含み、
前記小袋内に収納された乳母車用縫製部品をさらに備える、請求項１〜３のいずれかに記載の座席ハンモックセット。
【請求項５】
展開状態にある乳母車用座席ハンモックを収納するためのものであり、少なくともその前面側の大部分が透明フィルムで形成されている包装袋と、
前記包装袋内に配置される吊下げ部分、および前記包装袋の頂部から突出するフック部分を含むハンガーとを備えた、座席ハンモック用包装袋セット。
【請求項６】
前記包装袋は、その裏面に、平坦な状態にした幌を収納するための裏面袋を含み、この裏面袋の外面側の大部分が透明フィルムで形成されている、請求項５に記載の座席ハンモック用包装袋セット。
【請求項７】
前記包装袋は、前記前面側透明フィルムの内面に、乳母車用縫製部品を収納するための小袋を含み、この小袋の大部分が透明フィルムで形成されている、請求項５または６に記載の座席ハンモック用包装袋セット。
【請求項８】
１台の乳母車車体を用意する工程と、
それぞれが前記車体に適合するものであり、互いに異なったデザインを有する複数の座席ハンモックを用意する工程と、
前記複数の座席ハンモックを、それぞれ別個に、展開状態にしてハンガーに吊下げる工程と、
前記ハンガーに吊下げた複数の座席ハンモックを、それぞれ別個に、透明袋に収納する工程と、
前記透明袋に収納された前記複数の座席ハンモックの中から一つを選択し、この選択した座席ハンモックを前記車体に取り付ける工程とを備える、乳母車の組立て方法。
【請求項９】
１台の乳母車車体を店頭に陳列する工程と、
それぞれが前記車体に適合し、かつ互いに異なったデザインを有する複数の座席ハンモックを、別個に透明袋に収納した状態で、店頭に吊下げて陳列する工程と、
前記吊下げた複数の座席ハンモックの中から一つの座席ハンモックを選択し、この選択した座席ハンモックを店頭で乳母車車体に取り付ける工程とを備える、乳母車の組立て方法。
【発明の詳細な説明】
【技術分野】
【０００１】
この発明は、乳母車に関し、特に使用者（購入者）の好みに応じたデザインのものを容易に提供できる乳母車に関するものである。
【背景技術】
【０００２】
乳母車は、一般的に、フレーム構造からなる車体と、この車体に取り付けられて座席を形成する座席ハンモックとを備える。付属品としての幌を備えた乳母車も提供されている。
【０００３】
色や柄に対する使用者の好みは多様化しているので、異なった色や柄をもつ多種類の座席ハンモックを用意しておく必要がある。
【０００４】
乳母車の店頭での販売形態に注目すると、乳母車の車体に予め座席ハンモックを取り付けた状態で陳列している。基本的な車体構造が互いに異なっている複数の乳母車に関しては、異なった車体構造を需要者に見てもらうために、車体構造の異なる複数種類の乳母車を陳列する。
【０００５】
１つの車体に対してデザイン（例えば、色や柄）の異なった多くの種類の座席ハンモックや幌を製造するが、通常、店頭での商品陳列スペースに制約があるため、店頭では車体構造の異なる複数の車体に対して、それぞれ、特定のデザインの座席ハンモックおよび幌が取り付けられているだけである。
【発明の開示】
【発明が解決しようとする課題】
【０００６】
使用者（購入者）は、店頭において、特定の車体構造の乳母車について特定のデザインの座席ハンモックおよび幌しか見ることはできない。そのため、乳母車車体に装着された座席ハンモックや幌のデザインが気に入らなかった場合、カタログや写真を見て、好みに合ったデザインの座席ハンモックおよび幌を注文することになる。この場合、乳母車の車体にそのような座席ハンモック等を取り付けたとき、実際にどのような印象のものになるのかを使用者自らの目で確かめることができない。
【０００７】
使用者としては、店頭において、自分の好みにあったデザインの座席ハンモック等を乳母車車体に取り付けた状態を自らの目で確かめてみたい。
【０００８】
この発明の目的は、使用者が店頭で多くの種類の座席ハンモックの取り付け状態を自分の目で確かめることができるようにする座席ハンモックセット、座席ハンモック用包装袋セット、および乳母車の組立て方法を提供することである。
【課題を解決するための手段】
【０００９】
この発明に従った座席ハンモックセットは、乳母車の車体に取付けられて座席を形成するための座席ハンモックと、平坦な状態にした座席ハンモックを収納するものであり、少なくともその前面側の大部分が透明フィルムで形成されている包装袋とを備える。
【００１０】
店頭に上記構成の座席ハンモックセットを陳列しておけば、使用者は自分の好みに合った座席ハンモックを自らの目で確認して選ぶことができる。また、座席ハンモックセットは平らな状態で包装袋に収納されているので、店頭に多種類の座席ハンモックセットを陳列しておいてもそれ程多くのスペースを取らない。さらに、包装袋の前面側の大部分が透明フィルムで形成されているので、座席ハンモックを包装袋から取り出さなくてもそのデザインを観察することでき、座席ハンモックの汚れを防止できる。
【００１１】
使用者は、店頭で、好みに合った乳母車車体構造を選び、さらに陳列されている多くの種類の中から好みに合ったデザインの座席ハンモックを選択する。店員は、その場で車体に座席ハンモック取り付けることができるので、使用者は、好みに合った座席ハンモックの装着状態の印象を自らの目でその場で実際に確認することができる。
【００１２】
店頭での陳列に便宜を与えるために、座席ハンモックセットは、好ましくはさらに、包装袋内の座席ハンモックを吊下げるための吊下げ部分と、包装袋の頂部から突出するフック部分とを含むハンガーを備える。このような構成であれば、小さなスペースであっても多数の種類の座席ハンモックセットを吊下げて陳列することができ、さらに座席ハンモックをきれいに展開した状態で安定して保持することができる。
【００１３】
好ましくは、包装袋は、その裏面に、外面側の大部分が透明フィルムで形成された裏面袋を含む。この場合、座席ハンモックセットは、裏面袋内に、平坦な状態で収納された幌をさらに備える。このような構成であれば、使用者は、店頭で多種類の幌の中から好みに合った幌を容易に選択することができる。
【００１４】
乳母車は、座席ハンモックや幌に加えて、他の縫製部品を備えることもある。そのような場合に備えて、包装袋は、好ましくは、前面側透明フィルムの内面に、大部分が透明フィルムで形成された小袋を含む。この場合、座席ハンモックセットは、小袋内に収納された乳母車用縫製部品をさらに備える。
【００１５】
この発明に従った座席ハンモック用包装袋セットは、収納袋と、ハンガーとを備える。包装袋は、展開状態にある乳母車用座席ハンモックを収納するためのものであり、少なくともその前面側の大部分が透明フィルムで形成されている。ハンガーは、展開状態の座席ハンモックを吊下げるためのものであり、包装袋内に配置される吊下げ部分と、包装袋の頂部から突出するフック部分とを含む。
【００１６】
包装袋は、好ましくは、その裏面に、平坦な状態にした幌を収納するための裏面袋を含む。この裏面袋の外面側の大部分は、透明フィルムで形成される。
さらに好ましくは、包装袋は、前面側透明フィルムの内面に、乳母車用縫製部品を収納するための小袋を含む。この小袋の大部分は、透明フィルムで形成される。
【００１７】
一つの局面において、この発明に従った乳母車の組立て方法は、次の工程を備える。
【００１８】
（ａ）１台の乳母車車体を用意する工程。
【００１９】
（ｂ）それぞれが車体に適合するものであり、互いに異なったデザインを有する複数の座席ハンモックを用意する工程。
【００２０】
（ｃ）複数の座席ハンモックを、それぞれ別個に、展開状態にしてハンガーに吊下げる工程。
【００２１】
（ｄ）ハンガーに吊下げた複数の座席ハンモックを、それぞれ別個に、透明袋に収納する工程。
【００２２】
（ｅ）透明袋に収納された複数の座席ハンモックの中から一つを選択し、この選択した座席ハンモックを車体に取り付ける工程。
【００２３】
他の局面において、この発明に従った乳母車の組立て方法は、次の工程を備える。
【００２４】
（ａ）１台の乳母車車体を店頭に陳列する工程。
【００２５】
（ｂ）それぞれが車体に適合し、かつ互いに異なったデザインを有する複数の座席ハンモックを、別個に透明袋に収納した状態で、店頭に吊下げて陳列する工程。
【００２６】
（ｃ）吊下げた複数の座席ハンモックの中から一つの座席ハンモックを選択し、この選択した座席ハンモックを店頭で乳母車車体に取り付ける工程。
【発明を実施するための最良の形態】
【００２７】
図１に示す乳母車１は、フレーム構造から成る車体２と、この車体２に取り付けられて座席を形成する座席ハンモック３と、幌４と、股ベルトを覆う股ベルトカバー５と、１対の手摺間に渡される前ガード部材を覆う前ガードカバー６とを備える。
【００２８】
本発明の実施形態では、乳母車１を販売店の店頭で陳列するとき、車体２と、この車体に２に取り付けられるべき座席ハンモック３、幌４、股ベルトカバー５および前ガードカバー６とを分離しておく。車体２については、フレーム構造を完全に露出した状態で陳列するので、使用者（購入者）は乳母車のフレーム構造を明瞭に観察できる。
【００２９】
１台の車体２に対して、デザインの異なった多くの種類の座席ハンモック３、幌４、股ベルトカバー５および前ガードカバー６を用意する。これらを、各種類毎に図１０に示すような座席ハンモックセット３０の形態にして、店頭に吊下げて陳列する。
【００３０】
座席ハンモックセット３０は、座席ハンモック３と、包装袋２０とを備える。座席ハンモック３は、そのデザインが明瞭に現われるように、平坦な状態にして、あるいは展開状態にして包装袋に収納する。
【００３１】
座席ハンモックセット３０は、図２および図３に示すハンガー１０をさらに備える。ハンガー１０は、座席ハンモック３をきれいに展開した状態で保持するためのものであり、包装袋２０内に配置される吊下げ部分１１と、この吊下げ部分１１の上部中央に取り付けられ包装袋２０の頂部開口２４（図７参照）から突出するフック部分１２とを含む。
【００３２】
図４は、乳母車の車体２に取り付けられるべき股ベルトカバー５を示し、図５は、車体２に取り付けられるべき前ガードカバー６を示し、図６は、車体２に取り付けられるべき幌４を示している。これらの各縫製部品にも、各座席ハンモック３に対してデザイン的に調和が取れるようなデザインを施している。したがって、好ましくは、これらの縫製部品も、座席ハンモック３と同様に包装袋２０内に収納する。
【００３３】
図７は、包装袋２０を正面側から見た図であり、図８は、包装袋２０を背面側から見た図である。包装袋２０は、表側フィルム２１と裏側フィルム２２とを重ね合わせてそれらの周縁部を接合した形態を有している。座席ハンモック３等を袋内に出し入れするために、袋２０の一方側縁部および底縁部に開閉用のスライドファスナー２３が形成されている。また、包装袋２０の頂部には、ハンガー１０のフック部分１２を突出させるための頂部開口２４が形成されている。
【００３４】
内部に収納した座席ハンモック３を外部からも明瞭に観察できるようにするために、表側フィルム２１の大部分は透明とされている。一方、図示した実施形態では、裏側フィルム２２は不透明とされている。
【００３５】
図７および図９に示すように、透明な表側フィルム２１の内面には、大部分が透明フィルムで形成された２つの小袋２５，２６が形成されている。一方の小袋２５に股ベルトカバー５を収納し、他方の小袋２６に前ガードカバー６を収納する。これらの股ベルトカバー５および前ガードカバー６のデザインは、外部から明瞭に観察できる。
【００３６】
図８に示すように、包装袋２０の裏側フィルム２２には、裏面袋２７が形成されている。この裏面袋２７は、開閉のためのスライドファスナー２８を有する。裏面袋２７は、その外面側の大部分が透明フィルムで形成される。図１１に示すように、裏面袋２７内に、平坦な状態または展開状態にした幌４を収納する。裏面袋２７が透明であるので、この袋内に収納された幌４のデザインを外部からでも明瞭に観察できる。
【００３７】
なお、座席ハンモック用包装袋セットは、図７に示す包装袋２０と、図２および図３に示すハンガー１０とを備える。
【００３８】
乳母車を販売店の店頭で販売する方法は、次の通りである。フレーム構造を完全に露出している車体２を店頭に陳列する。また、この車体２に適合し、かつ互いに異なったデザインを有する座席ハンモック３を多種類用意し、それらを別個に、展開状態または平坦な状態にしてハンガー１０に吊下げる。そして、各ハンガー１０に吊下げた多種類の座席ハンモック３をそれぞれ別個に、透明な包装袋２０に収納する。「透明な包装袋」とは、少なくともその前面側の大部分が透明フィルムで形成されているものを意味する。
【００３９】
幌４、股ベルトカバー５、前ガードカバー６も、座席ハンモック３と同様に、各包装袋２０に収納する。このようにして用意した多種類の座席ハンモックセット３０（図１０）を店内に吊下げて陳列する。吊下げの方法は、例えば、ハンガー１０のフック部分１２を棒状の部材に引掛けるようにしてもよいし、フック部分１２を壁に固着された受け金具等に引掛けるようにしてもよい。
【００４０】
使用者（購入者）は、販売店内で、自分の好みに合った車体２を選び、さらに陳列されている多くの種類の中から自分の好みに合ったデザインの座席ハンモック３等を選ぶ。店員は、その場で、使用者が選んだ車体２と座席ハンモック３等を組み合わせて、完成した乳母車を組み立てる。
【００４１】
こうして、使用者は、店頭で、自ら選んだ座席ハンモック３等の装着状態をその目で確認することができるようになる。
【００４２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００４３】
この発明は、店頭で販売される乳母車に有利に利用され得る。
【図面の簡単な説明】
【００４４】
【図１】乳母車を示す斜視図である。
【図２】座席ハンモックをハンガーに吊下げている状態を示す正面図である。
【図３】座席ハンモックをハンガーに吊下げている状態を示す背面図である。
【図４】股ベルトカバーを示す図である。
【図５】前ガードカバーを示す図である。
【図６】幌を示す図である。
【図７】包装袋を示す正面図である。
【図８】包装袋を示す背面図である。
【図９】包装袋に股ベルトカバーおよび前ガードカバーを収納している状態を示す正面図である。
【図１０】座席ハンモックセットを示す正面図である。
【図１１】座席ハンモックセットを示す背面図である。
【符号の説明】
【００４５】
１  乳母車、２  車体、３  座席ハンモック、４  幌、５  股ベルトカバー、６  前ガードカバー、１０  ハンガー、１１  吊下げ部分、１２  フック部分、２０  包装袋、２１  表側フィルム、２２  裏側フィルム、２３  ファスナ、２４  頂部開口、２５  小袋、２６  小袋、２７  裏面袋、２８  ファスナ、３０  座席ハンモックセット。
【図１】
2005254836.tif 000003
【図２】
2005254836.tif 000004
【図３】
2005254836.tif 000005
【図４】
2005254836.tif 000006
【図５】
2005254836.tif 000007
【図６】
2005254836.tif 000008
【図７】
2005254836.tif 000009
【図８】
2005254836.tif 000010
【図９】
2005254836.tif 000011
【図１０】
2005254836.tif 000012
【図１１】
2005254836.tif 000013